(57)【要約】【課題】  、熱交換器への空気の流れのバランスを向上させることができる空気調和機の室内機を提供する。【解決手段】  空気調和機の室内機は、送風機構と、室内熱交換器１０と、第１電磁弁１６ａおよび第２電磁弁１６ｂとを備える。送風機構は、空気の流れを生成する。室内熱交換器１０は、冷媒回路の一部を構成し、通過する空気と冷媒との間で熱交換を行わせる。第１電磁弁１６ａおよび第２電磁弁１６ｂは、冷媒回路の冷媒の流れを制御する。そして、第１電磁弁１６ａは室内熱交換器１０の前方に配置され、第２電磁弁１６ｂは室内熱交換器１０の後方に配置される。【選択図】      図５
2006145050.tif 000002
【特許請求の範囲】
【請求項１】
空気の流れを生成する送風機（７）と、
冷媒回路の一部を構成し、通過する前記空気と冷媒との間で熱交換を行わせる熱交換器（１０）と、
前記冷媒回路の冷媒の流れを制御する第１制御弁（１６ａ）および第２制御弁（１６ｂ）と、
を備え、
前記第１制御弁（１６ａ）は前記熱交換器（１０）の前方に配置され、
前記第２制御弁（１６ｂ）は前記熱交換器（１０）の後方に配置される、
空気調和機（１）の室内機（２）。
【請求項２】
前記熱交換器（１０）は、上端が後方に傾斜した前傾斜面（５５）と、前記前傾斜面（５５）の後側に配置され上端が前方に傾斜した後傾斜面（５４）とを有し、
前記第１制御弁（１６ａ）は、前記前傾斜面（５５）に対向して配置され、
前記第２制御弁（１６ｂ）は、前記後傾斜面（５４）に対向して配置される、
請求項１に記載の空気調和機（１）の室内機（２）。
【請求項３】
前記熱交換器（１０）の前方を覆う前ケーシング部（６１）と、
前記熱交換器（１０）の後方を覆う後ケーシング部（６４）と、
をさらに備え、
前記第１制御弁（１６ａ）は、前記熱交換器（１０）と前記前ケーシング部（６１）との間に配置され、
前記第２制御弁（１６ｂ）は、前記熱交換器（１０）と前記後ケーシング部（６４）との間に配置される、
請求項１または２に記載の空気調和機（１）の室内機（２）。
【請求項４】
前記第１制御弁（１６ａ）は、前記熱交換器（１０）を挟んで前記第２制御弁（１６ｂ）と対向する位置に配置される、
請求項１から３のいずれかに記載の空気調和機（１）の室内機（２）。
【請求項５】
前記熱交換器（１０）は、第１熱交換部（１５）と第２熱交換部（１７）とを有し、
前記第１制御弁（１６ａ）と前記第２制御弁（１６ｂ）とは、前記冷媒回路上において前記第１熱交換部（１５）と前記第２熱交換部（１７）との間に設けられる、
請求項１から４のいずれかに記載の空気調和機（１）の室内機（２）。
【請求項６】
前記第１制御弁（１６ａ）と前記第２制御弁（１６ｂ）とは、通過する冷媒を膨張させる膨張弁であり、
前記第１制御弁（１６ａ）と前記第２制御弁（１６ｂ）とを制御して、冷房運転時には前記第１熱交換部（１５）および前記第２熱交換部（１７）を蒸発器として機能させ、再熱除湿運転時には前記第１熱交換部（１５）を凝縮器として機能させると共に前記第２熱交換部（１７）を蒸発器として機能させる制御部（９０）をさらに備える、
請求項５に記載の空気調和機（１）の室内機（２）。
【発明の詳細な説明】
【技術分野】
【０００１】
本発明は、空気調和機の室内機に関する。
【背景技術】
【０００２】
従来、空気調和機の室内機において、冷媒回路を流れる冷媒の流れを制御する制御弁が１つだけではなく複数設けられることがある。例えば、熱交換器が複数の熱交換部に分割されて各熱交換部への冷媒の流れを制御する複数の開閉弁が設けられることがある（特許文献１参照）。この空気調和機の室内機には、水平方向に長い形状を有する熱交換器が備えられており、３つの開閉弁が設けられている。この３つの開閉弁は、空気調和機の室内機の内部において、熱交換器の後側の傾斜面や前側の傾斜面に沿って上下方向に並んで配置されている。
【特許文献１】特開平８−６８５６８号公報  （第４図）
【発明の開示】
【発明が解決しようとする課題】
【０００３】
しかし、熱交換器の近傍に配置される電磁弁は、熱交換器への空気の流れに対して通風抵抗となるため、空気調和機の室内機において複数の制御弁が上記のように熱交換器の一側方にのみ配置される場合には、熱交換器への空気の流れのバランスを乱す恐れがある。
本発明の課題は、熱交換器への空気の流れのバランスを向上させることができる空気調和機の室内機を提供することにある。
【課題を解決するための手段】
【０００４】
第１発明にかかる空気調和機の室内機は、送風機と、熱交換器と、第１制御弁および第２制御弁とを備える。送風機は、空気の流れを生成する。熱交換器は、冷媒回路の一部を構成し、通過する空気と冷媒との間で熱交換を行わせる。第１制御弁および第２制御弁は、冷媒回路の冷媒の流れを制御する。そして、第１制御弁は熱交換器の前方に配置され、第２制御弁は熱交換器の後方に配置される。
【０００５】
この空気調和機の室内機では、第１制御弁と第２制御弁とが、熱交換器の一方に偏って配置されるのではなく、熱交換器の前方と後方とに分かれて配置される。このため、制御弁による通風抵抗が、熱交換器の前方と後方とで近似したものとなる。これにより、この空気調和機の室内機では、制御弁による通風抵抗のバランスを向上させることができ、熱交換器への空気の流れのバランスを向上させることができる。
【０００６】
第２発明にかかる空気調和機の室内機は、第１発明の空気調和機の室内機であって、熱交換器は、上端が後方に傾斜した前傾斜面と、前傾斜面の後側に配置され上端が前方に傾斜した後傾斜面とを有する。そして、第１制御弁は前傾斜面に対向して配置され、第２制御弁は後傾斜面に対向して配置される。
この空気調和機の室内機では、第１制御弁と第２制御弁とは、熱交換器の前傾斜面と後傾斜面とのそれぞれに対向するように分かれて配置される。このため、この空気調和機の室内機では、制御弁による通風抵抗のバランスを向上させることができ、熱交換器への空気の流れのバランスを向上させることができる。
【０００７】
第３発明にかかる空気調和機の室内機は、第１発明または第２発明の空気調和機の室内機であって、熱交換器の前方を覆う前ケーシング部と、熱交換器の後方を覆う後ケーシング部とをさらに備える。そして、第１制御弁は、熱交換器と前ケーシング部との間に配置される。また、第２制御弁は、熱交換器と後ケーシング部との間に配置される。
この空気調和機の室内機では、前ケーシング部と熱交換器との間の空間と、後ケーシング部と熱交換器との間の空間とを利用して、第１制御弁と第２制御弁とを熱交換器の前後に分けて配置することができる。このため、この空気調和機の室内機では、内部の空間を有効に利用しており、外形を小型化することができる。
【０００８】
第４発明にかかる空気調和機の室内機は、第１発明から第３発明のいずれかの空気調和機の室内機であって、第１制御弁は、熱交換器を挟んで第２制御弁と対向する位置に配置される。
この空気調和機の室内機では、第１制御弁は、熱交換器を挟んで第２制御弁と対向する位置に配置される。このため、第１制御弁と第２制御弁との配置の対称性が高い。従って、この空気調和機の室内機では、制御弁による通風抵抗のバランスをより向上させることができ、熱交換器への空気の流れのバランスをより向上させることができる。
【０００９】
第５発明にかかる空気調和機の室内機は、第１発明から第４発明のいずれかの空気調和機の室内機であって、熱交換器は、第１熱交換部と第２熱交換部とを有する。そして、第１制御弁と第２制御弁とは、冷媒回路上において、第１熱交換部と第２熱交換部との間に設けられる。
一般に、分割した熱交換器の間に一つの制御弁が設けられると、冷媒の圧力損失が増大して、消費エネルギーを増大させる恐れがある。しかし、この空気調和機の室内機では、第１制御弁と第２制御弁とは、冷媒回路上において第１熱交換部と第２熱交換部との間に設けられる。このため、第１制御弁と第２制御弁とを切り換えることによって、冷媒の流速が減少し、第１制御弁と第２制御弁とにおける圧力損失を低減することができる。また、この空気調和機の室内機では、上記のように第１制御弁と第２制御弁との２つの制御弁が備えられても、熱交換器への空気の流れのバランスを向上させることができる。
【００１０】
第６発明にかかる空気調和機の室内機は、第５発明の空気調和機の室内機であって、第１制御弁と第２制御弁とは、通過する冷媒を膨張させる膨張弁である。そして、この空気調和機の室内機は、制御部をさらに備える。制御部は、第１制御弁と第２制御弁とを制御して、冷房運転時には第１熱交換部および第２熱交換部を蒸発器として機能させ、再熱除湿運転時には第１熱交換部を凝縮器として機能させると共に第２熱交換部を蒸発器として機能させる。
【００１１】
この空気調和機の室内機では、第１制御弁と第２制御弁とを制御部が制御することによって、冷房運転時に熱交換器の一部を凝縮器として機能させることができる。このため、この空気調和機の室内機では、通常の冷房運転に加えて、室温を下げることなく除湿運転を行うことが可能な再熱除湿運転を行うことができる。
【発明の効果】
【００１２】
第１発明にかかる空気調和機の室内機では、制御弁による通風抵抗のバランスを向上させることができ、熱交換器への空気の流れのバランスを向上させることができる。
第２発明にかかる空気調和機の室内機では、第１制御弁と第２制御弁とは、熱交換器の前傾斜面と後傾斜面とのそれぞれに対向するように分かれて配置されるため、熱交換器への空気の流れのバランスを向上させることができる。
【００１３】
第３発明にかかる空気調和機の室内機では、内部の空間を有効に利用しており、外形を小型化することができる。
第４発明にかかる空気調和機の室内機では、制御弁による通風抵抗のバランスをより向上させることができ、熱交換器への空気の流れのバランスをより向上させることができる。
【００１４】
第５発明にかかる空気調和機の室内機では、第１制御弁と第２制御弁とを切り換えることによって、冷媒の流速が減少し、第１制御弁と第２制御弁とにおける圧力損失を低減することができる。また、この空気調和機の室内機では、第１制御弁と第２制御弁との２つの制御弁が備えられても、熱交換器への空気の流れのバランスを向上させることができる。
【００１５】
第６発明にかかる空気調和機の室内機では、通常の冷房運転に加えて、室温を下げることなく除湿運転を行うことが可能な再熱除湿運転を行うことができる。
【発明を実施するための最良の形態】
【００１６】
＜空気調和機の構成＞
本発明の一実施形態に係る空調室内機を備えた空気調和機１について、図１〜図６を用いて説明すれば、以下の通りである。
本実施形態の空気調和機１は、図１に示すように、調和された空気を室内に供給するための装置であって、室内の壁面などに取り付けられる室内機２と、室外に設置される室外機３とを備えている。
【００１７】
室内機２内には、後述する室内熱交換器１０（熱交換器）が収納されており、室外機３内には、後述する室外熱交換器１３が収納されている。そして、室内機２内の室内熱交換器１０と室外機３内の室外熱交換器１３とが冷媒配管４によって接続されることにより、冷媒回路が構成される。
空気調和機１が有する冷媒回路は、図２に示すように、圧縮機１１と、四路切換弁１２と、室外熱交換器１３と、電動膨張弁１４と、第１室内熱交換部１５（第１熱交換部）と、第１電磁弁１６ａ（第１制御弁）および第２電磁弁１６ｂ（第２制御弁）と、第２室内熱交換部１７（第２熱交換部）と、アキュムレータ１８とを含んでいる。なお、第１室内熱交換部１５と第２室内熱交換部１７とは、共に図３および図５に示す室内熱交換器１０を構成する。
【００１８】
圧縮機１１は、冷媒回路内に流れる冷媒の圧力を上昇させて冷媒を送り出す。
四路切換弁１２は、圧縮機１１の吐出側と接続されており、冷房、再熱除湿運転時と暖房運転時とで冷媒の流路を変更する。なお、図２に示す四路切換弁１２は、冷房運転時および再熱除湿運転時における状態を示している。
室外熱交換器１３は、四路切換弁１２と接続されており、暖房運転時には蒸発器として機能し、冷房、再熱除湿運転時には凝縮器として機能する。また、室外熱交換器１３は、隣接配置されたプロペラファン３８によって室外機３内に吸い込まれた空気との間で熱交換を行う。
【００１９】
電動膨張弁１４は、室外熱交換器１３と接続されており、冷媒の圧力を変化させる膨張機構として機能する。例えば、冷房運転時には、後述する第１室内熱交換部１５を蒸発器として機能させるために、閉状態となって冷媒を膨張させる。一方、再熱除湿運転時には、第１室内熱交換部１５を凝縮器として機能させるために、全開状態となって冷媒の圧力を変化させない。
【００２０】
第１室内熱交換部１５は、電動膨張弁１４と接続されており、冷房運転時には蒸発器として機能し、暖房、再熱除湿運転時には凝縮器として機能する。
第１電磁弁１６ａおよび第２電磁弁１６ｂは、図２および図４に示すように、冷媒回路上において第１室内熱交換部１５と第２室内熱交換部１７との間に互いに並列に配置されており、冷媒回路の冷媒の流れを制御することができる。具体的には、第１電磁弁１６ａおよび第２電磁弁１６ｂは、通過する冷媒を膨張させる膨張弁であり、再熱除湿運転時には第２室内熱交換部１７へ流れる冷媒の圧力を低下させることができる。
【００２１】
第２室内熱交換部１７は、並列配置された第１電磁弁１６ａおよび第２電磁弁１６ｂと接続されており、再熱除湿運転時および冷房運転時に蒸発器として、暖房運転時には凝縮器として機能する。
アキュムレータ１８は、圧縮機１１の吸引側と接続されており、圧縮機１１に液状の冷媒が混入することを防止する。
【００２２】
室内機２は、以上のように、第１室内熱交換部１５および第２室内熱交換部１７を備えており、これらの室内熱交換部１５，１７が接触する空気との間で熱交換を行う。そして、室内機２は、室内空気を吸い込み第１室内熱交換部１５および第２室内熱交換部１７を経由して空気調和された空気を室内に排出するための気流を発生させるクロスフローファン２１（図２，図３参照）を備えている。クロスフローファン２１は、室内機２内に設けられる室内ファンモータ２２によって中心軸を中心にして回転駆動される。
【００２３】
室外機３は、圧縮機１１と、四路切換弁１２と、アキュムレータ１８と、室外熱交換器１３と、電動膨張弁１４とを備えている。電動膨張弁１４は、フィルタ３５および液閉鎖弁３６を介して配管４１と接続されており、この配管４１を介して室内機２の室内熱交換部１５，１７の一端と接続される。また、四路切換弁１２は、ガス閉鎖弁３７を介して配管４２と接続されており、この配管４２を介して室内機２の室内熱交換部１５，１７の他端と接続されている。なお、この配管４１、４２は、図１の冷媒配管４に相当する。また、室外機３には、室外機３内へ空気を吸い込み、室外熱交換器１３での熱交換後の空気を外部に排出するためのプロペラファン３８が設けられている。このプロペラファン３８は、室外ファンモータ３９によって回転駆動される。
【００２４】
＜室内機の構成＞
室内機２は、水平方向であり且つ正面視における横方向に長い形状を有している（図１参照）。以下、水平方向のうち、室内機２の正面視における横方向を単に「横方向」と呼ぶ。室内機２は、図３に示すように、主として、室内機２の内部に収容されている送風機構７（送風機）、室内熱交換器ユニット５、第１電磁弁１６ａおよび第２電磁弁１６ｂ、室内機ケーシング８および制御部９０（図６参照）を備える。
【００２５】
〔送風機構〕
送風機構７は、室内から室内機２の内部に入り室内熱交換器１０を通って再び室内へと吹き出される空気の流れを生成する機構であり、クロスフローファン２１、室内ファンモータ２２（図２参照）等を有する。クロスフローファン２１は、横方向に長い円筒形状に構成され、中心軸が横方向に平行になるように配置されている。室内ファンモータ２２は、クロスフローファン２１の側方に配置され、クロスフローファン２１を回転駆動する。送風機構７は、後述する底フレーム６２によって支持されている。
【００２６】
〔室内熱交換器ユニット〕
室内熱交換器ユニット５は、図３に示すように室内熱交換器１０、補助配管５０（図５参照）などを有する。室内熱交換器１０は、上述した第１室内熱交換部１５および第２室内熱交換部１７を有している。なお、図２の冷媒回路に含まれる第１室内熱交換部１５および第２室内熱交換部１７は、個々独立した構成となっているが、本実施形態では、図４に示すように、１つの熱交換器の中でその一部分とそれ以外の部分とが第１室内熱交換部１５および第２室内熱交換部１７に相当し、その間に並列配置された第１電磁弁１６ａと第２電磁弁１６ｂとに接続されている。
【００２７】
室内熱交換器１０は、図５に示すように、横方向に長い形状を有しており、室内機ケーシング８（図１参照）の長手方向に平行に配置されている。室内熱交換器１０は、図３に示すように、後部５１、第１前部５２および第２前部５３が組み合わされて構成されている。後部５１は、室内熱交換器１０の後側上部を構成しており、長方形の板状の形状を有する。後部５１は、上端が下端よりも前方に位置するように傾斜して配置されている。また、後部５１は、空気の通過方向に伝熱管が２列配置された２列熱交換部となっている。第１前部５２は、室内熱交換器１０の前側上部を構成しており、後部５１と同様の長方形の形状を有する。第１前部５２は、上端が下端よりも後側に位置するように傾斜して配置されており、第１前部５２の上端と後部５１の上端とは、近接または接合されている。すなわち、第１前部５２と後部５１とは側面視において逆Ｖ字型形状となるように組み合わされている。第２前部５３は、室内熱交換器１０の前側下部を構成しており、他の部分と同様に長方形の板状の形状を有する。第２前部５３は、第１前部５２の下方に配置されており、第１前部５２の下端と第２前部５３の上端とは、近接又は接合されている。また、第１前部５２と第２前部５３とは、空気の通過方向に伝熱管が３列配置された３列熱交換部となっており、空気の通過方向の寸法が後部５１よりも厚くなっている。
【００２８】
室内熱交換器１０は、上記のように、後部５１、第１前部５２および第２前部５３が組み合わされて構成されているため、側面視において上方に凸に屈曲した形状を有している。室内熱交換器１０の屈曲の頂点Ｔ１よりも後側の部分は、上端が前方に下端が後方に位置するように傾斜した傾斜面となっている（以下「後傾斜面５４」と呼ぶ）。後傾斜面５４は、後部５１の一部である。室内熱交換器１０の屈曲の頂点Ｔ１よりも前側の部分は、上端が後方に下端が前方に位置するように傾斜した傾斜面となっている（以下「前傾斜面５５」と呼ぶ）。前傾斜面５５は、第１前部５２の一部である。この前傾斜面５５と後傾斜面５４との接合部分が前述の屈曲の頂点Ｔ１となっている。室内熱交換器１０は、横方向に長い形状を有しており、前傾斜面５５および後傾斜面５４もそれぞれ横方向に長い長方形の形状を有する傾斜した平面となっている。
【００２９】
室内熱交換器１０は、クロスフローファン２１の円周面に対向して配置されており、クロスフローファン２１の前方、上方を取り囲むように取り付けられている。第１室内熱交換部１５および第２室内熱交換部１７は、クロスフローファン２１が回転することにより発生する気流によって吸い込まれた空気に対して、第１室内熱交換部１５および第２室内熱交換部１７における伝熱管の内部を通過する冷媒との間で熱交換を行わせる。そして、室内機２は、水平フラップ７０によって吹き出し方向を調整しながら、吹出口７１から空気調和された空気を吹き出す。
【００３０】
補助配管５０は、室内熱交換器１０の側面から突出した複数の伝熱管を互いに繋いだり、第１室内熱交換部１５および第２室内熱交換部１７と冷媒配管４とを繋いだりする配管である。殆どの補助配管５０は、室内熱交換器１０の側方の空間において複雑に湾曲して配設されているが、一部の補助配管は、図５に示すように室内熱交換器１０の側方から室内熱交換器１０の前方および後方の空間を通り、第１電磁弁１６ａおよび第２電磁弁１６ｂに接続されている。この一部の補助配管のうち第１電磁弁１６ａに接続される補助配管（以下、「前部補助配管５６」と呼ぶ）は、室内熱交換器１０の側方から室内熱交換器１０の前方を通るように設けられている。また、一部の補助配管のうち第２電磁弁１６ｂに接続される補助配管（以下、「後部補助配管５７」と呼ぶ）は、室内熱交換器１０の側方から室内熱交換器１０の後方を通るように設けられている。室内熱交換器１０の側方の補助配管５０は、複雑に湾曲した形状を有しているのに対して、前部補助配管５６および後部補助配管５７は、比較的直線的な形状を有している。前部補助配管５６および後部補助配管５７は、室内熱交換器１０の前方および後方においてそれぞれ横方向に延設されており、室内熱交換器１０の側方の補助配管５０が配設されている空間の横方向の長さよりも長い。
【００３１】
〔室内機ケーシング〕
室内機ケーシング８は、上述したように、室内熱交換器ユニット５や送風機構７を収容するものであり、図１に示すように、横方向に長い箱形の形状を有している。室内機ケーシング８は、側面視において略Ｄ型の形状を有しており、奥行き方向の寸法すなわち厚さが上下方向の寸法すなわち高さよりも小さい薄型の形状となっている。この室内機ケーシング８は、図３に示すように、前面グリル６１（前ケーシング部）と底フレーム６２とを有している。
【００３２】
前面グリル６１は、室内熱交換器ユニット５の前方および上方を覆うように構成されており、室内機２の上面側、前面側の外郭を形成する。前面グリル６１の上面は、格子状の複数の開口が設けられている。これらの開口は、室内から室内機ケーシング８の内部に吸い込まれる空気が通過する吸込口６０となっている。また、前面グリル６１の上面は、前述した室内熱交換器１０の頂点Ｔ１と近接している。
【００３３】
底フレーム６２は、室内熱交換器ユニット５の後方および下方を覆うように構成されており、室内機２の底面側および背面側の外郭を構成する。底フレーム６２は、室内機２の底面を構成する底フレーム下部６３と、室内機２の背面を構成する底フレーム背面部６４（後ケーシング部）とを有している。底フレーム下部６３には、送風機構７のクロスフローファン２１を収容する空間が設けられており、この空間は、底フレーム６２の前面下部に設けられた吹出口７１と連通している。底フレーム背面部６４は、室内熱交換器１０の後方を覆っており、上下方向に延びている。底フレーム背面部６４の上端Ｔ２は、前面グリル６１の上面の後端と近接または接触している。また、底フレーム背面部６４と、室内熱交換器１０の後部５１の下端とは近接している。
【００３４】
〔第１電磁弁および第２電磁弁〕
第１電磁弁１６ａおよび第２電磁弁１６ｂは、図３および図５に示すように、室内熱交換器１０の前後に分かれて一つずつ配置されている。
第１電磁弁１６ａは、前面グリル６１と室内熱交換器１０の第１前部５２との間であって、第１前部５２の前方に配置されている。より詳しくは、第１電磁弁１６ａは、室内熱交換器１０の前傾斜面５５の上部近傍に対向して配置されている。
【００３５】
第２電磁弁１６ｂは、底フレーム背面部６４と室内熱交換器１０の後部５１との間であって後部５１の後方に配置されている。より詳しくは、第２電磁弁１６ｂは、室内熱交換器１０の後傾斜面５４の上部近傍に対向して配置されている。すなわち、第２電磁弁１６ｂは、室内熱交換器１０の後部５１と底フレーム背面部６４との間のくさび型の空間に配置されている。
【００３６】
また、第１電磁弁１６ａおよび第２電磁弁１６ｂは、室内熱交換器１０を挟んで対称に配置されており、室内熱交換器１０を挟んで互いに対向している。従って、第１電磁弁１６ａおよび第２電磁弁１６ｂは、互いに同じ高さ及び同じ横方向位置に配置されている。また、第１電磁弁１６ａおよび第２電磁弁１６ｂは、室内熱交換器１０の頂点Ｔ１を上方に越えないように配置されており、底フレーム背面部６４の上端Ｔ２と略同じ高さに位置している。
【００３７】
〔制御部〕
図６に示す制御部９０は、室内機２と室外機３とに分かれて設けられており、リモコン９３からの指示に従って、指示された空調運転を行う。
制御部９０による具体的な制御内容について以下説明する。
＜再熱除湿運転時の動作＞
再熱除湿運転時には、室内機２において、第１室内熱交換部１５を凝縮器として、第２室内熱交換部１７を蒸発器として機能させる。このため、電動膨張弁１４を開状態とする一方、第１電磁弁１６ａおよび第２電磁弁１６ｂの片方あるいは両方を閉状態とする。これにより、第１室内熱交換部１５を凝縮器として機能させるとともに、第２室内熱交換部１７に流れる冷媒が膨張して低温低圧の液冷媒となるため、第２室内熱交換部１７の全体あるいは一部を蒸発器として機能させることが可能になる。
【００３８】
なお、第１電磁弁１６ａおよび第２電磁弁１６ｂについて、片方あるいは両方を閉状態とするか否かは、室内の顕熱負荷および潜熱負荷の大きさに応じて決定される。すなわち、例えば、室内の湿度が高い（潜熱負荷が大きい）場合には、潜熱処理を大量に行う必要がある。このため、第２室内熱交換部１７の全ての部分を蒸発器として使用できるように、第１電磁弁１６ａおよび第２電磁弁１６ｂの双方を閉状態とし、第２室内熱交換部１７全体を蒸発器として機能させる。一方、室内の湿度がそれほど高くない（潜熱負荷が小さい）場合には、第２室内熱交換部１７の一部だけを蒸発器として使用できればよい。このため、片方の第１電磁弁１６ａのみを閉状態とする。
【００３９】
このように、第１・第２電磁弁１６ａ，１６ｂの両方を閉状態にするか、一方だけを閉状態にするかによって第１状態と第２状態とを使い分けることで、季節や時間変動に伴う室内負荷の大きさの変化に応じて顕熱処理および潜熱処理を行う室内熱交換器１０の面積を変更でき、従来の再熱除湿運転よりも柔軟な制御が可能になる。
なお、この第１状態と第２状態との切り換えは、室内機２に取り付けられた温度センサ９１や湿度センサ９２（図６参照）によって検知された室内の顕熱負荷、潜熱負荷の大きさに応じて、自動的に制御されていてもよいし、ユーザによって手動で行われてもよい。
【００４０】
＜冷房運転時の動作＞
本実施形態の室内機２では、冷房運転時には、第１室内熱交換部１５および第２室内熱交換部１７の双方を蒸発器として用いるために、電動膨張弁１４を閉状態とする。これにより、電動膨張弁１４を通過した冷媒は膨張して低温低圧の液冷媒となるため、第１室内熱交換部１５および第２室内熱交換部１７の双方を蒸発器として機能させることができる。なお、このときの第１電磁弁１６ａおよび第２電磁弁１６ｂは、ともに開状態となる。
【００４１】
ここで、本実施形態のような再熱除湿方式の冷媒回路を有する室内機２では、冷房運転時において第１室内熱交換部１５と第２室内熱交換部１７との間に設けられた電磁弁における冷媒の圧力損失が問題となる。しかし、本実施形態の室内機２では、第１室内熱交換部１５と第２室内熱交換部１７との間に２つの第１電磁弁１６ａおよび第２電磁弁１６ｂを並列配置することで冷媒の圧力損失を低減して、冷房能力の低下を回避することができる。
【００４２】
＜本空調室内機の特徴＞
（１）
この空気調和機１の室内機２では、第１電磁弁１６ａおよび第２電磁弁１６ｂは、冷媒回路上において第１室内熱交換部１５と第２室内熱交換部１７との間に設けられる。このため、第１電磁弁１６ａおよび第２電磁弁１６ｂを切り換えることによって、冷媒の流速が減少し、第１電磁弁１６ａおよび第２電磁弁１６ｂにおける圧力損失を一つの制御弁が設けられる場合よりも低減することができる。
【００４３】
（２）
この空気調和機１の室内機２では、第１電磁弁１６ａおよび第２電磁弁１６ｂが室内熱交換器１０の前後に室内熱交換器１０を挟んで互いに対向する位置に配置される。このため、通風抵抗の要因となる第１電磁弁１６ａおよび第２電磁弁１６ｂが室内熱交換器１０を挟んで前後に対称に配置されており、室内熱交換器１０の前後で通風抵抗のバランスが向上している。これにより、この空気調和機１の室内機２では、室内熱交換器１０を通る空気の流れのバランスが向上している。
【００４４】
（３）
第１電磁弁１６ａおよび第２電磁弁１６ｂへと接続される前部補助配管５６および後部補助配管５７は、比較的長い直線的な形状を有している。このため、前部補助配管５６および後部補助配管５７には安定した状態で冷媒が流れることができ、前部補助配管５６および後部補助配管５７を流れる冷媒の音を低減させることができる。
【００４５】
＜他の実施形態＞
（１）
第１電磁弁１６ａおよび第２電磁弁１６ｂは、通過する冷媒を減圧する膨張弁であるが、他の制御弁であってもよい。例えば、第１電磁弁１６ａおよび第２電磁弁１６ｂに代えて冷媒流量の調整のみを行う調整弁が複数設けられる場合にも本発明が適用可能である。
【００４６】
（２）
上記の実施形態では、第１電磁弁１６ａおよび第２電磁弁１６ｂは、室内熱交換器１０を挟んで対称に配置されているが、第１電磁弁１６ａおよび第２電磁弁１６ｂが、対称ではなく、上下左右に多少位置をずらして配置されてもよい。このような配置によっても、第１電磁弁１６ａおよび第２電磁弁１６ｂが室内熱交換器１０の一方側に偏って配置される場合より空気流れのバランスを向上させることができる。
【００４７】
（３）
上記の実施形態では、第１電磁弁１６ａおよび第２電磁弁１６ｂの２つの制御弁が設けられているが、３つ以上の制御弁が設けられる場合にも本発明が適用可能である。例えば、３つの制御弁が設けられる場合は、２つの制御弁と１つの制御弁とが、それぞれ室内熱交換器１０の前後に分けて配置されるとよい。このような配置によっても、３つの制御弁が室内熱交換器１０の一方側に偏って配置される場合より空気流れのバランスを向上させることができる。なお、４つの制御弁が設けられる場合には、３つの制御弁と１つの制御弁とに分けて設けてもよいが、通風抵抗のバランスの観点からは室内熱交換器１０の前後に同数の制御弁が配置されることがより望ましい。
【産業上の利用可能性】
【００４８】
本発明は、熱交換器への空気の流れのバランスをとることができる効果を有し、空気調和機の室内機として有用である。
【図面の簡単な説明】
【００４９】
【図１】空気調和機の外観図。
【図２】冷媒回路の構成図。
【図３】室内機の側面断面図。
【図４】室内熱交換器の構成を示す概略図。
【図５】室内熱交換器ユニットの外観斜視図。
【図６】空気調和機の制御ブロック図。
【符号の説明】
【００５０】
１      空気調和機
２      室内機
７      送風機構（送風機）
１０    室内熱交換器（熱交換器）
１５    第１熱交換部
１６ａ  第１電磁弁（第１制御弁）
１６ｂ  第２電磁弁（第２制御弁）
１７    第２熱交換部
５５    前傾斜面
５４    後傾斜面
６１    前面グリル（前ケーシング部）
６４    底フレーム背面部（後ケーシング部）
９０    制御部
【図１】
2006145050.tif 000003
【図２】
2006145050.tif 000004
【図３】
2006145050.tif 000005
【図４】
2006145050.tif 000006
【図５】
2006145050.tif 000007
【図６】
2006145050.tif 000008